(57)【要約】【課題】大掛かりな機構を要さずに水素の発生量を容易に制御することができる水素発生装置及び燃料電池を提供する。【解決手段】水素発生溶液と反応促進溶液の混合により、水素を生成する水素発生装置１において、反応室２に水素発生溶液と反応促進溶液を導入し、水素を発生させ、水素発生による体積膨張の力により反応室２内の溶液を反応室２から排出する。【選択図】図１
2013193937.tif 000002
【特許請求の範囲】
【請求項１】
水素発生溶液と当該水素発生溶液との混合により水素を発生する反応促進溶液とを混合する反応室と、
前記水素発生溶液を前記反応室に導入する水素発生溶液導入路と、
前記反応促進溶液を前記反応室に導入する反応促進溶液導入路と、
前記反応室から水素を排出する水素流通路と、
前記反応室での水素の発生に応じた体積膨張の力により、前記反応室から押し出される前記水素発生溶液と前記反応促進溶液との反応後の溶液である反応室内溶液を排出する溶液排出流路と、を備えることを特徴とする水素発生装置。
【請求項２】
前記水素発生溶液導入路は、前記水素発生溶液の前記反応室への導入を制御する送液手段を有することを特徴とする請求項１に記載の水素発生装置。
【請求項３】
前記反応促進溶液導入路は、前記反応促進溶液の前記反応室への導入を制御する反応促進溶液導入弁を有し、
前記溶液排出流路は、前記反応室内溶液の排出を制御する溶液排出弁を有することを特徴とする請求項１又は２に記載の水素発生装置。
【請求項４】
前記反応促進溶液導入弁は、前記反応室の圧力が規定値以下のときに弁を開放することで、前記反応促進溶液を前記反応室に導入する開閉弁であり、
前記溶液排出弁は、前記反応室の圧力が規定値以上のときに弁を開放することで、前記反応室内溶液を排出する開閉弁であることを特徴とする請求項３に記載の水素発生装置。
【請求項５】
前記反応促進溶液導入弁は、前記反応促進溶液導入路の流通を前記反応室に向かう一方向に規制する逆止弁であり、
前記溶液排出弁は、前記溶液排出流路の流通を前記反応室から外側に向かう一方向に規制する逆止弁であることを特徴とする請求項３又は４に記載の水素発生装置。
【請求項６】
前記反応促進溶液を加圧する加圧手段を有することを特徴とする請求項１から５の何れか一項に記載の水素発生装置。
【請求項７】
前記送液手段は、前記反応室の圧力が規定値以下のとき、前記水素発生溶液を前記反応室に導入することを特徴とする請求項２から６の何れか一項に記載の水素発生装置。
【請求項８】
前記送液手段は、前記水素発生溶液導入路の流通を前記反応室に向かう一方向に規制する逆止弁であることを特徴とする請求項２から７の何れか一項に記載の水素発生装置。
【請求項９】
前記水素発生溶液を貯留し、前記水素発生溶液導入路で前記反応室と接続される水素発生溶液室と、
前記反応促進溶液を貯留し、前記反応促進溶液導入路で前記反応室と接続される反応促進溶液室と、
前記反応室と前記溶液排出流路で接続され、前記反応室から排出された前記反応室内溶液を格納する廃溶液室を備え、
前記水素発生溶液室と前記反応促進溶液室と前記廃溶液室は、一定容積の容器内に収容されるとともに、それぞれ容積が可変の部材からなり、
前記水素発生溶液室と前記反応促進溶液室が縮小することで前記容器内に形成される空間は、前記廃溶液室の体積拡大分で補われることを特徴とする請求項１から８の何れか一項に記載の水素発生装置。
【請求項１０】
前記反応促進溶液室と前記廃溶液室とが一体の共通室からなり、
前記溶液排出流路は、前記反応促進溶液室に接続されることを特徴とする請求項９に記載の水素発生装置。
【請求項１１】
前記水素発生溶液室が縮小することで前記容器内に形成される空間は、前記反応促進溶液室の体積拡大分で補われることを特徴とする請求項９又は１０に記載の水素発生装置。
【請求項１２】
前記水素流通路は、着脱可能な接続部を有することを特徴とする請求項１から１１の何れか一項に記載の水素発生装置。
【請求項１３】
前記水素発生溶液導入路と、前記反応促進溶液導入路と、前記溶液排出流路は、それぞれ着脱可能な接続部を有することを特徴とする請求項１から１２の何れか一項に記載の水素発生装置。
【請求項１４】
前記水素流通路は、当該水素流通路における水素の流通を制御する水素流通弁を有することを特徴とする請求項１から１３の何れか一項に記載の水素発生装置。
【請求項１５】
前記水素流通路は、前記水素流通弁の下流側に当該水素流通路の容積を拡大又は縮小可能な容積部を有することを特徴とする請求項１４に記載の水素発生装置。
【請求項１６】
前記反応室と、前記水素発生溶液導入路と、前記反応促進溶液導入路と、前記水素流通路と、前記溶液排出流路と、前記水素流通弁とを含む反応ユニットを複数備えることを特徴とする請求項１４又は１５に記載の水素発生装置。
【請求項１７】
請求項１から請求項１６の何れか一項に記載の水素発生装置の前記水素流通路に燃料電池の燃料極を有する室が接続され、前記水素発生装置にて発生した水素が前記燃料極に供給されることを特徴とする燃料電池。
【発明の詳細な説明】
【技術分野】
【０００１】
本発明は水素発生装置及び燃料電池に関する。
【背景技術】
【０００２】
燃料電池は、固体高分子電解質膜を挟んでアノードとカソードを有する発電部を有し、アノード側に水素やメタノール等の燃料流体を供給し、カソード側に酸素や空気等の酸化用流体を供給し、電気化学反応により電力を発生する。
【０００３】
当該燃料流体としての水素を低エネルギーで得る方法として、ケミカルハイドライドと呼ばれる金属水素化物（例えば、水素化ホウ素リチウムや水素化ホウ素ナトリウム、水素化アルミニウムリチウム、水素化アルミニウムナトリウム）を加水分解する方法が知られている。
【０００４】
金属水素化物を加水分解して水素を得る場合、常温に近い低温で加水分解反応が進むため、効率よく水素を得ることができる。反面、水素発生量を制御することが難しいという問題があった。
【０００５】
この問題に対し、金属水素化物を含む金属水素化物水溶液のｐＨを調節することで、加水分解の反応速度を制御する、水素発生技術が知られている（例えば、特許文献１）。この技術は、金属水素化物水溶液のｐＨが低い程反応速度が増加し、ｐＨが高い程反応速度が低下することを利用している。つまり、この技術では、反応槽内の金属水素化物と金属水素化物に付加する水の量を制御することにより、金属水素化物水溶液のｐＨを変化させる。これにより、加水分解の反応速度を変化させ、要求量に応じた水素を生成させることができる。
【０００６】
しかし、この場合、ｐＨの制御を反応槽内の金属水素化物への水の投入により行うので、例えば、水素を発生させている状態から水素の発生を停止させる場合などでは、ｐＨを大幅に変化させるために大量の水が必要とされる。また、生成物の排除と水を循環再利用するための分離器を反応槽とは別に設ける構成も提案されているが、分離器や循環のための流路やポンプなどの複雑な機構が必要となる。このようなことから、上記技術を用いた燃料電池は大型化が避けられず、小型化を必要とする機器に適用するには向かない。
【先行技術文献】
【特許文献】
【０００７】
【特許文献１】特開２００２−１２８５０２号公報
【発明の概要】
【発明が解決しようとする課題】
【０００８】
本発明は上記状況に鑑みてなされたもので、大掛かりな機構を要さずに、簡易な構造で安定した水素の発生反応を行うことができ、小型化が可能な水素発生装置及び燃料電池を提供することを目的とする。
【課題を解決するための手段】
【０００９】
上記目的を達成するための請求項１に係る本発明の水素発生装置は水素発生溶液と当該水素発生溶液との混合により水素を発生する反応促進溶液とを混合する反応室と、水素発生溶液を反応室に導入する水素発生溶液導入路と、反応促進溶液を反応室に導入する反応促進溶液導入路と、反応室から水素を排出する水素流通路と、反応室での水素の発生に応じた体積膨張の力により、反応室から押し出される水素発生溶液と反応促進溶液との反応後の溶液である反応室内溶液を排出する溶液排出流路と、を備えることを特徴とする。
請求項１に係る本発明では、水素発生溶液と反応促進溶液との反応後の溶液である反応室内溶液が、反応室での水素発生による体積膨張の力により反応室から排除され、反応室での水素発生溶液と反応促進溶液の反応状態を安定させることができ、安定した水素の発生反応を行うことができ、安定した水素供給が可能である。また、大掛かりな機構を要さずに、簡易な構造とすることができ、小型化が可能な水素発生装置とすることができる。
【００１０】
そして、請求項２に係る本発明の水素発生装置は、請求項１に記載の水素発生装置において、水素発生溶液導入路は、水素発生溶液の反応室への導入を制御する送液手段を有することを特徴とする。
請求項２に係る本発明では、送液手段により、水素発生溶液の反応室への導入を制御することにより、反応室での水素発生反応を確実に行うことができる。
【００１１】
そして、請求項３に係る本発明の水素発生装置は、請求項１又は請求項２に記載の水素発生装置において、反応促進溶液導入路は、反応促進溶液の反応室への導入を制御する反応促進溶液導入弁を有し、溶液排出流路は、反応室内溶液の排出を制御する溶液排出弁を有することを特徴とする。
請求項３に係る本発明では、反応促進溶液の反応室への導入や反応室内溶液の反応室からの排出を弁体により制御することにより、反応室からの反応室内溶液の排出や反応室への反応促進溶液の導入を確実に行い、反応室での水素発生溶液と反応促進溶液の反応状態を安定させることができ、安定した水素の発生反応を行うことができる。
【００１２】
そして、請求項４に係る本発明の水素発生装置は、請求項３に記載の水素発生装置において、反応促進溶液導入弁は、反応室の圧力が規定値以下のときに弁を開放することで、反応促進溶液を反応室に導入する開閉弁であり、溶液排出弁は、反応室の圧力が規定値以上のときに弁を開放することで、反応室内溶液を排出する開閉弁であることを特徴とする。
請求項４に係る本発明では、反応促進溶液の反応室への導入や反応室内溶液の反応室からの排出を反応室の圧力に応じて制御することにより、安定した圧力で水素の供給を行うことができる。
【００１３】
そして、請求項５に係る本発明の水素発生装置は、請求項３又は４に記載の水素発生装置において、反応促進溶液導入弁は、反応促進溶液導入路の流通を反応室に向かう一方向に規制する逆止弁であり、溶液排出弁は、溶液排出流路の流通を反応室から外側に向かう一方向に規制する逆止弁であることを特徴とする。
請求項５に係る本発明では、簡易な構造の逆止弁を用いて反応促進溶液および反応室内溶液の流通を制御するので、大掛かりな機構を要さずに、簡易な構造とすることができ、小型化が可能な水素発生装置とすることができる。
【００１４】
そして、請求項６に係る本発明の水素発生装置は、請求項１から請求項５の何れか一項に記載の水素発生装置において、反応促進溶液を加圧する加圧手段を有することを特徴とする。
請求項６に係る本発明では、反応促進溶液の圧力や、廃溶液の圧力を調整することができ、水素供給圧力を調整することができる水素発生装置とすることができる。
【００１５】
そして、請求項７に係る本発明の水素発生装置は、請求項２から請求項６に記載の水素発生装置において、送液手段は、反応室の圧力が規定値以下のとき、水素発生溶液を反応室に導入することを特徴とする。
請求項７に係る本発明では、反応室の圧力に応じて水素発生溶液を反応室に導入することができ、確実に水素発生反応を制御することができ、安定した水素供給を行うことができる。
【００１６】
そして、請求項８に係る本発明の水素発生装置は、請求項２から請求項７の何れか一項に記載の水素発生装置において、送液手段は、水素発生溶液導入路の流通を反応室に向かう一方向に規制する逆止弁であることを特徴とする。
請求項８に係る本発明では、簡易な構造の逆止弁を用いて水素発生溶液の流通を制御するので、大掛かりな機構を要さずに、簡易な構造とすることができ、小型化が可能な水素発生装置とすることができる。
【００１７】
そして、請求項９に係る本発明の水素発生装置は、請求項１から請求項８の何れか一項に記載の水素発生装置において、水素発生溶液を貯留し、水素発生溶液導入路で反応室と接続される水素発生溶液室と、反応促進溶液を貯留し、反応促進溶液導入路で反応室と接続される反応促進溶液室と、反応室と溶液排出流路で接続され、反応室から排出された反応室内溶液を格納する廃溶液室を備え、水素発生溶液室と反応促進溶液室と廃溶液室は、一定容積の容器内に収容されるとともに、それぞれ容積が可変の部材からなり、水素発生溶液室と反応促進溶液室が縮小することで容器内に形成される空間は、廃溶液室の体積拡大分で補われることを特徴とする。
請求項９に係る本発明では、水素発生溶液と反応促進溶液の消費により水素発生溶液室と反応促進溶液室が縮小して生じる空間を、反応室内溶液の排出による廃液室の拡大に必要な体積に利用することで、反応促進溶液室、水素発生溶液室および廃溶液室の設置空間を有効に活用することができ、小型化が可能な水素発生装置とすることができる。
【００１８】
そして、請求項１０に係る本発明の水素発生装置は、請求項９に記載の水素発生装置において、反応促進溶液室と廃溶液室とが一体の共通室からなり、溶液排出流路は、反応促進溶液室に接続されることを特徴とする。
請求項１０に係る本発明では、反応促進溶液は、反応促進溶液室から反応室に導入され、水素発生溶液と混合反応した後に、再び反応促進溶液室に還流することができ、水素発生装置に搭載する反応促進溶液の量を縮小することができ、小型化が可能な水素発生装置とすることができる。
【００１９】
そして、請求項１１に係る本発明の水素発生装置は、請求項９又は１０に記載の水素発生装置において、水素発生溶液室が縮小することで容器内に形成される空間は、反応促進溶液室の体積拡大分で補われることを特徴とする。
請求項１１に係る本発明では、水素発生溶液の消費により水素発生溶液室が縮小して生じる空間を、反応促進溶液室から反応室への導入する反応促進溶液のと、反応室から反応促進溶液室に排出される反応室内溶液の体積差による反応促進溶液室の拡大に必要な体積に利用することで、反応促進溶液室、水素発生溶液室の設置空間を有効に活用することができ、小型化が可能な水素発生装置とすることができる。
【００２０】
そして、請求項１２に係る本発明の水素発生装置は、請求項１から請求項１１の何れか一項に記載の水素発生装置において、水素流通路は、着脱可能な接続部を有することを特徴とする。
請求項１２に係る本発明では、水素発生装置をカートリッジ式に水素消費機器と着脱可能とすることができる。
【００２１】
そして、請求項１３に係る本発明の水素発生装置は、請求項１から請求項１２の何れか一項に記載の水素発生装置において、水素発生溶液導入路と、反応促進溶液導入路と、溶液排出流路は、それぞれ着脱可能な接続部を有することを特徴とする。
請求項１３に係る本発明では、溶液の流通を制御する弁などの機構と、溶液の貯留部分を別体の構造とすることができ、着脱可能な溶液カートリッジとし容易に溶液交換や保管することができる。
【００２２】
そして、請求項１４に係る本発明の水素発生装置は、請求項１から請求項１３の何れか一項に記載の水素発生装置において、水素流通路は、当該水素流通路における水素の流通を制御する水素流通弁を有することを特徴とする。
請求項１４に係る本発明では、水素流通弁により、水素流通路の流通を制御するので、水素発生装置と接続される水素消費機器の水素流通部分の容積などに因らず、水素発生装置を独立した系とすることができ、安定した水素の供給を行うことができる。
【００２３】
そして、請求項１５に係る本発明の水素発生装置は、請求項１４に記載の水素発生装置において、水素流通路は、水素流通弁の下流側に当該水素流通路の容積を拡大又は縮小可能な容積部を有することを特徴とする。
請求項１５に係る本発明では、水素流通路の容積を拡大縮小することにより、水素発生装置が接続される水素消費機器の急激な圧力変動を緩和することができ、水素消費機器の構造の劣化を抑制することができる。
【００２４】
そして、請求項１６に係る本発明の水素発生装置は、請求項１４又は請求項１５に記載の水素発生装置において、反応室と、水素発生溶液導入路と、反応促進溶液導入路と、水素流通路と、溶液排出流路と、送液手段と、反応促進溶液導入弁と、溶液排出弁と、水素流通弁とからなる反応ユニットを複数備えることを特徴とする。
請求項１６に係る本発明では、複数の反応ユニットのそれぞれの水素発生量を制御できるので、水素消費流量の変動への追従が容易で、繊細な制御をすることや、水素発生能力を増大させることができる。
【００２５】
そして、請求項１７に係る本発明の燃料電池は、請求項１から請求項１６の何れか一項に記載の水素発生装置の水素流通路に燃料電池の燃料極を有する室が接続され、水素発生装置にて発生した水素が燃料極に供給されることを特徴とする。
請求項１７に係る本発明では、大掛かりな機構を要さずに、簡易な構造で安定した水素供給が可能である小型化が可能な水素発生装置を備えた燃料電池とすることが可能になる。
【発明の効果】
【００２６】
本発明の水素発生装置及び燃料電池は、大掛かりな機構を要さずに、簡易な構造で安定した水素の発生反応を行うことができ、小型化が可能な水素発生装置及び燃料電池を提供することが出来る。
【図面の簡単な説明】
【００２７】
【図１】本発明の第１実施例に係る水素発生装置の全体の概略構成図である。
【図２】第１実施例に係る水素発生装置の動作フロー図である。
【図３】第１実施例に係る水素発生装置の反応室の状態図である。
【図４】第１実施例に係る水素発生装置の反応室の圧力状態図である。
【図５】第２実施例に係る水素発生装置の構成図である。
【図６】第３実施例に係る水素発生装置の構成図である。
【図７】第４実施例に係る水素発生装置の構成図である。
【図８】第５実施例に係る水素発生装置の構成図である。
【図９】第６実施例に係る水素発生装置の構成図である。
【図１０】第６実施例に係る水素発生装置の反応室の圧力状態図である。
【図１１】第７実施例に係る水素発生装置の構成図である。
【図１２】第７実施例に係る水素発生装置の反応室の圧力状態図である。
【図１３】第８実施例に係る水素発生装置の概略構成図である。
【図１４】第８実施例に係る水素発生装置の反応室の圧力状態図である。
【図１５】第９実施例に係る水素発生装置の概略構成図である。
【図１６】第１０実施例に係る水素発生装置の概略構成図である。
【図１７】第１１実施例に係る水素発生装置の概略構成図である。
【図１８】第１２実施例に係る水素発生装置の概略構成図である。
【図１９】第１３実施例に係る水素発生装置の概略構成図である。
【図２０】第１４実施例に係る燃料電池の全体図である。
【発明を実施するための形態】
【００２８】
（第１実施例）
図１から図４に基づいて水素発生装置の第１実施例を説明する。
図１は、本発明の第１実施例に係る水素発生装置１の全体の概略構成図である。図１（ａ）に、水素発生装置１の全体の概略構成図を示し、図１（ｂ）に、水素発生装置１の制御状態の概略構成図を示した。図１（ａ）に示すように、水素発生装置１は、反応室２と、水素発生溶液を貯蔵する水素発生溶液室３と、水素発生溶液との混合により水素発生反応を促進する反応促進溶液を貯蔵する反応促進溶液室４と、反応室２から排出される反応室内溶液２０を貯留する廃溶液室５１を有する。また、反応室２は、反応室２で生成された水素を排出する水素流通路１１を備える。また、水素は、水素流通路１１に備えられた水素流通弁１２により流通が制御される。水素流通弁１２により、水素流通路１１での水素の流通が制御されるので、水素発生装置１と接続される水素を消費する機器（図示省略）の水素流通部分の容積などに因らず、水素発生装置１を独立した系とすることができ、安定した水素の供給を行うことができる。水素を消費する機器としては、例えば燃料電池等が挙げられる。
【００２９】
水素発生溶液室３と反応室２とは、水素発生溶液導入路５によって接続される。反応促進溶液室４と反応室２とは、反応促進溶液導入路６によって接続される。また、反応室２と廃溶液室５１は、溶液排出流路７によって接続される。水素発生溶液導入路５は、水素発生溶液室３内の水素発生溶液を反応室２に導入し制御する送液手段８を備える。また、反応促進溶液導入路６および溶液排出流路７には、それぞれ流通を開閉する反応促進溶液導入弁９および溶液排出弁１０を備える。反応促進溶液導入弁９は、反応室２の圧力が規定値以下のとき、反応促進溶液を反応室２に導入する開閉弁であり、反応促進溶液の反応室２への導入を制御する。また、溶液排出弁１０は、反応室２の圧力が規定値以上のとき、反応室内溶液２０を廃溶液室５１へ排出する開閉弁であり、反応室内溶液２０の排出を制御する。ここで、図１（ｂ）の矢印に示すように、送液手段８や、反応促進溶液導入弁９、溶液排出弁１０および水素流通弁１２は、反応室２の圧力を検出する圧力センサー１３と、圧力センサー１３の信号に元づいて制御を行うコントローラ１４とにより制御される。
【００３０】
（水素発生装置の動作）
（１）動作の概要
第１実施例の水素発生装置１による水素発生時の動作の概要について説明する。
はじめに、水素発生装置１の構成について説明する。水素発生装置１は、水素流通路１１に着脱可能な接続部を備えることで、カートリッジ式として、交換可能な構成とすることができる。
【００３１】
また、反応促進溶液や反応副生成物、反応室内溶液２０などの反応室２の内容物や、反応室２での反応に伴う溶液の飛沫などの反応室２からの流出を防止する為に、水素流通路１１に通じる反応室２内に気液分離膜１５を設けてもよい。
【００３２】
水素発生溶液には、加水分解型の金属水素化物水溶液を用いる。金属水素化物は、例えば、水素化ホウ素塩、水素化アルミニウム塩、水素化ホウ素ナトリウム、水素化ホウ素リチウム、水素化アルミニウムリチウム等が挙げられる。特に、水素化ホウ素ナトリウムが金属水素化物として好ましい。金属水素化物水溶液の加水分解の反応速度は、ｐＨ依存性があり、ｐＨが高い程、反応速度が低下する。そのため、金属水素化物水溶液として貯蔵するために、ｐＨが高い強アルカリ水溶液とすることにより、加水分解反応による水素の発生を抑制し、安全に貯蔵保管することができる。
【００３３】
本実施例では、１２％水素化ホウ素ナトリウム、４０％水酸化ナトリウムを用いた金属水素化物水溶液を用いた。この金属水素化物水溶液のｐＨは１５であり、金属水素化物水溶液中での金属水素化物の加水分解が抑制されるｐＨが高い強アルカリ溶液である。また、この混合割合の溶液は、ＶＥＮＰＵＲＥ（登録商標）ＳＯＬＵＴＩＯＮ（ダウケミカル社製）など、市販されており、長期保管可能な水素化ホウ素ナトリウム溶液として一般的な混合割合であると言える。
【００３４】
反応促進溶液は、酸性水溶液を用いる。例えば、塩酸、硫酸、リン酸等の無機酸や、酢酸、琥珀酸、りんご酸等の有機酸の酸性水溶液を用いることにより、強アルカリの金属水素化物水溶液のｐＨを変化させ反応速度を制御することができる。また、酸性水溶液は、強酸とすることが望ましい。これにより、金属水素化物水溶液のｐＨを速やかに変化させることができ、水素発生の制御性を高めることができる。
本実施例では、貯蔵や送液など構成部材の選択及び取り扱いが比較的容易なリン酸を用いている。
【００３５】
水素を消費する水素消費機器の水素消費量に追従して水素供給を行うためには、水素発生溶液と反応促進溶液の加水分解反応の反応性を高め、加水分解反応を短時間で完了させることが必要である。特に、水素消費機器の水素消費量が急激に小さくなった際に、速やかに反応を停止することは、余剰な水素の発生を抑制し、反応室２などを耐圧構造とすることなく水素発生装置１を軽量、小型にすることが出来ることから、重要である。
【００３６】
ここで、水素発生溶液と反応促進溶液の加水分解反応の反応性を高めて短時間で反応を完了させるためには、水素発生溶液と反応促進溶液の混合比が重要となる。反応室２で混合反応する水素発生溶液と反応促進溶液の混合比は、混合後（反応後）の溶液のｐＨが７以下となる混合比とする必要がある。さらに、ｐＨ６以下とすることが望ましい。
【００３７】
そこで、本実施例では、水素発生溶液に１２％水素化ホウ素ナトリウム及び４０％水酸化ナトリウムの金属水素化物水溶液を用い、反応促進溶液に８５％リン酸水溶液を用いた。そして、水素発生溶液と反応促進溶液の混合割合を、水素化ホウ素ナトリウムと水酸化ナトリウムのモル数の和とリン酸のモル数を同じとした。これらの混合後（反応後）のｐＨはｐＨ４程度であり、速やかに反応を完了することができる。このとき、水素発生溶液と反応促進溶液との体積比は、１：１．２６である。従って、反応室２での混合割合を上述の混合比より反応促進溶液の比率を高くすることにより、短時間で反応を完了させることができる。従って、余剰な水素が発生を抑制し、水素を消費する水素消費機器の水素消費流量に追従して水素供給を制御することができる。
【００３８】
反応室２に水素発生溶液を導入する送液手段８は、液送ポンプであり、液送ポンプとしては、定量性があるダイヤフラム式、プランジャ式など、容積式ポンプが好ましく、液体の漏洩や薬品への耐性の高いダイヤフラム式が好ましい。また、送液手段８は、反応室２の内圧を検出する圧力センサーの値を基に、コントローラにより送液ポンプの送液流量が制御され、反応室２に水素発生溶液を導入する。
【００３９】
また、送液手段８として、送液ポンプを用いずに、水素発生溶液導入路５に、流通を制御する電磁弁を設け、プランジャを介して加圧バネで水素発生溶液を加圧する構成や、水素発生溶液室３を可撓性の材質で形成し、加圧バネなどで加圧する構成として、電磁弁の開閉により送液を制御することにより、反応室２での水素発生量を制御する構成としても良い。これにより、送液構造や制御回路を単純な構成とし、小型、軽量の水素発生装置とすることができる。なお、送液手段８を、水素発生溶液導入路５の流通を反応室２に向かう一方向に規制する逆止弁とすることも可能である。
【００４０】
次に、水素発生装置１の動作について説明する。反応促進溶液室４に貯留された反応促進溶液は、反応促進溶液導入路６から反応促進溶液導入弁９を通じて反応室２に導入される。次に、水素発生溶液室３に貯留された水素発生溶液が、送液手段８により水素発生溶液導入路５から反応室２に導入される。そして、反応室２において反応促進溶液と水素発生溶液が接触し、加水分解反応により水素が発生する。反応室２で発生した水素の圧力により、反応室内溶液２０が、溶液排出弁１０を通じて、溶液排出流路７から廃溶液室５１に排出される。これにより、水素発生装置１は、水素発生溶液導入路５から反応室２に導入した水素発生溶液を反応室２の反応促進溶液と速やかに接触させることができるので、反応時の制御性を高めることができる。反応室２で発生した水素は、水素流通路１１を通じて水素を消費する機器に送られる。
【００４１】
（２）動作の詳細
図２から図４に基づいて水素発生装置１の動作の詳細を説明する。図２に、第１実施例に係る水素発生装置の動作フロー図を示す。また、図３に第１実施例に係る水素発生装置の反応室の状態図を示す。また、図４に第１実施例に係る水素発生装置の反応室の圧力状態図を示す。
【００４２】
図２は、水素発生装置１の動作フローであり、また、各ステップ（Ｓ１からＳ４）における反応促進溶液導入弁９と溶液排出弁１０および水素流通弁１２の流通状態を示す。図３は、図１に示した水素発生装置の一部であり、反応室２の内部の反応室内溶液２０の状態（液量）を示している。なお、図１に示した部材と同一部材には同一符号を付し、また反応室２の圧力を検出する圧力センサー１３と制御用のコントローラ１４は、省略している。
【００４３】
図２に示す動作フローのＳ１では、水素流通弁１２を開放し、反応促進溶液導入弁９および溶液排出弁１０を閉止した状態である。このとき、反応室２は、水素で満たされた、図３（Ａ）に示す状態である。水素流通路１１に接続された機器により水素が消費されると、反応室２の圧力が低下する。次に、コントローラ１４は、反応促進溶液導入弁９を開放し、送液手段８を介して反応室２に反応促進溶液を導入する（Ｓ２）。このように送液手段８は、反応室２の圧力が規定値以下のとき、水素発生溶液を反応室２に導入する。このとき、反応室２は、反応促進溶液が充填された、図３（Ｂ）に示す状態であり、反応室内溶液２０は、反応促進剤溶液である。次に、コントローラ１４は、水素流通弁１２を閉止し、反応室２に水素発生溶液を導入する。
【００４４】
次に、反応室２に導入された水素発生溶液は、反応促進溶液と接触し加水分解反応により水素を発生させる（Ｓ３）。発生した水素により反応室２の圧力が上昇する。次に、コントローラ１４は、溶液排出弁１０を開放する。すると、反応室内溶液２０は、反応室２で発生した水素の圧力により、溶液排出流路７を通じ反応室２から排出される（Ｓ４）。  次に、コントローラ１４は、水素流通弁１２を開放し、水素流通路１１を通じて水素消費機器に水素を供給させる。その結果、図３（Ａ）に示す状態に帰着し、図２に示す動作フローのＳ１に戻る。
【００４５】
このように、動作フローのＳ１からＳ４の一連の動作を繰り返すことにより、反応室２で水素発生溶液と反応促進溶液の反応により水素を生成し、水素発生装置１に接続される水素を消費する機器に水素供給が可能である。また、水素発生反応後の反応室内溶液２０は、生成した水素の圧力により、反応室２から排除され、新たに、反応促進溶液が導入されるので、反応室２での水素発生溶液と反応促進溶液の反応状態を安定させることができ、安定した水素供給が可能である。
【００４６】
図４には、図２に示す動作フローと各弁の状態を時系列に横軸とし、反応室２および水素流通弁１２の水素消費機器側の圧力を縦軸に示し、反応室２の圧力を太い実線、水素流通路１１に配置された水素流通弁１２の水素発生器側の圧力を破線で示している。
また、縦軸に示す圧力Ｐ１およびＰ２は、廃溶液室５１の圧力をＰ１、反応促進溶液室４の圧力をＰ２として示している。
【００４７】
Ｓ１では、コントローラ１４が水素流通弁１２を開放し、反応促進溶液導入弁９および溶液排出弁１０を閉止した状態なので、水素流通路１１に接続された機器により水素が消費されると、反応室２の圧力が低下する。次に、コントローラ１４は、反応促進溶液導入弁９を開放し、反応室２に反応促進溶液を導入する（Ｓ２）。反応促進溶液導入弁９は、反応室２の圧力が設定値より低くなった時点で開放する。反応促進溶液導入弁９を開放する圧力の設定値は、反応促進溶液室４の圧力に対して、反応室２の圧力が低い状態のときの圧力で設定され、反応促進溶液導入弁９を開放することにより反応促進溶液を反応室２に導入される。また、反応促進導入弁９を開放する動作（Ｓ２）は、反応促進溶液室４の圧力Ｐ２に対して、反応室２の圧力が低い状態であれば良く、水素流通弁１２を開放し、接続機器による水素消費の開始（Ｓ１）と同時に行うことができる。
【００４８】
次に、コントローラ１４は、反応促進導入弁９と水素流通弁１２を閉止する。反応室２に導入される反応促進溶液の量は、反応促進溶液導入弁９の開放時間により制御される。反応促進導入弁９と水素流通弁１２を閉止した後は、反応室２内の水素の水素流通路１１への流通が無いので、反応室２の圧力の低下は無く、保持される。次に、コントローラ１４は、反応室２に水素発生溶液を導入する。導入された水素発生溶液は、反応室２の反応促進溶液と接触し加水分解反応により水素が発生し、発生した水素により反応室２の圧力が上昇する（Ｓ３）。水素の発生量は、反応室２への水素発生溶液の導入量で決まるので、水素発生反応後の反応室２の圧力が廃溶液室５１の圧力より高くなる様に、送液手段８により反応室２に水素発生溶液を導入する。
【００４９】
次に、溶液排出弁１０を開放すると、反応室内溶液２０は、反応室２で発生した水素の圧力により、溶液排出流路７を通じ反応室２から排出される（Ｓ４）。反応室内溶液２０の排出に従って、反応室２の圧力が低下する。このとき、溶液排出弁１０を開放した状態を継続すると、反応室２の圧力は、廃溶液室５１の圧力と等しくなるまで低下する。また、反応室内溶液２０の排出に伴う圧力低下の過程で、溶液排出弁１０を閉止することにより、反応室内溶液２０の排出量を任意に設定することができる。このとき、反応室内溶液２０の排出量は、反応室２の圧力または、溶液排出弁１０の開放時間により制御される。また、同時に反応室内溶液２０の排出量を制御することにより、反応室２の反応室内溶液２０を排出した後の反応室２の容積を制御することができるので、反応室２の圧力を設定することができる。すなわち、水素流通弁１２を開放した際に水素消費機器への水素供給圧力を任意に設定することが可能である。
【００５０】
次に、水素流通弁１２を開放し、水素流通路１１を通じ、水素消費機器に水素が供給される。このときの反応室２と水素消費機器の圧力は等しくなり、その圧力は、水素流通弁１２を開放する前の反応室２の圧力により制御できるので、上述の様に、溶液排出弁１０の制御により任意に設定することができる。
【００５１】
この様に、反応室２での水素の生成と弁の開閉により、一連の反応室２の圧力状態を制御することにより、反応室４での水素生成と生成した水素の圧力による反応室内溶液２０の反応室２からの排除を繰り返し行うことができ、また、水素消費機器に供給する水素の圧力を設定することができる水素発生装置とすることができる。
このような構成において、上述した水素発生装置１では、大掛かりな機構を要さずに必要量の水素を確実に供給することが可能である。
【００５２】
以上により、水素発生装置１は、水素発生溶液と、水素発生溶液との混合により水素を発生する反応促進溶液とを混合する反応室２を有し、水素発生溶液を反応室２に導入する水素発生溶液導入路５と、反応促進溶液を反応室２に導入する反応促進溶液導入路６と、反応室２から水素を排出する水素流通路１１と、反応室２での水素発生による体積膨張の力により反応室２から押し出される水素発生溶液と反応促進溶液との反応後の溶液である反応室内溶液を排出する溶液排出流路７とを備える。これにより、水素発生溶液と反応促進溶液との反応後の溶液である反応室内溶液が、反応室２での水素発生による体積膨張の力により反応室２から排除され、反応室２での水素発生溶液と反応促進溶液の反応状態を安定させることができ、安定した水素の発生反応を行うことができ、安定した水素供給が可能である。また、大掛かりな機構を要さずに、簡易な構造とすることができ、小型化が可能な水素発生装置１とすることができる。
【００５３】
また、水素発生溶液導入路５は、水素発生溶液の反応室２への導入を制御する送液手段８を有する。これにより、反応室２での水素発生反応を確実に行うことができる。
また、反応促進溶液導入路６は、反応促進溶液の反応室２への導入を制御する反応促進溶液導入弁９を有し、溶液排出流路７は、反応室内溶液の排出を制御する溶液排出弁１０を有する。これにより、反応室２からの反応室内溶液の排出や反応室２への反応促進溶液の導入を確実に行い、反応室２での水素発生溶液と反応促進溶液の反応状態を安定させることができ、安定した水素の発生反応を行うことができる。
【００５４】
また、反応促進溶液導入弁９は、反応室２の圧力が規定値以下のとき、反応促進溶液を反応室２に導入する開閉弁であり、溶液排出弁１０は、反応室２の圧力が規定値以上のとき、反応室内溶液を排出する開閉弁である。これにより、安定した圧力で水素の供給を行うことができる。
また送液手段８は、反応室２の圧力が規定値以下のとき、水素発生溶液を反応室２に導入する。これにより、反応室の圧力に応じて水素発生溶液を反応室に導入することができ、確実に水素発生反応を制御することができ、安定した水素供給を行うことができる。
また、送液手段８は、水素発生溶液導入路５の流通を反応室２に向かう一方向に規制する逆止弁である。このように、簡易な構造の逆止弁を用いて水素発生溶液の流通を制御するので、大掛かりな機構を要さずに、簡易な構造とすることができ、小型化が可能な水素発生装置１とすることができる。
【００５５】
（第２実施例）
図５に、第２実施例に係る水素発生装置の構成図を示す。図５に、反応室２、水素発生溶液導入路５、反応促進溶液導入路６、溶液排出流路７、送液手段８、反応促進溶液導入弁９、溶液排出弁１０、水素流通路１１、水素流通弁１２、気液分離膜１５、反応室内溶液２０、容積部２２を示す。また、容積部２２は、容積可変な容器からなる。また、容積部２２を除く他の構成は、第１実施例と同様であるため、その説明を省略する。
【００５６】
第１実施例において、水素発生装置１から水素消費機器への水素供給は、水素流通弁１２の開閉によって行われる。そのため、水素を消費する機器である水素消費機器側の圧力は、水素流通弁１２の開放した際に急激に上昇する。このような急激な圧力の変動は、水素消費機器の劣化を早めるなど好ましくない。そこで、図５に示す様に、水素流通路１１の水素流通弁１２の下流側である水素消費機器側に、圧力により容積を拡大縮小できる容積部２２を設けることが好ましい。容積部２２は、ベローズ、ピストンなどの形態が適用可能であり、水素消費機器の圧力が低下した際に収縮し、急激に圧力上昇した際に拡張する。容積部２２の収縮拡張する圧力は、ばね等で容積部２２を縮小する方向に付勢することにより、調整することが可能である。
【００５７】
これにより、水素発生装置１が接続される水素消費機器の急激な圧力変動を緩和することができ、水素消費機器の構造の劣化を抑制することができる。
また、反応促進溶液室４の圧力Ｐ２や、廃溶液室５１の圧力Ｐ１は、反応促進溶液室４や廃溶液室５１に大気に流通する通気孔を設けることにより、大気圧とすることができる。この場合、通気孔に溶液の流出を防止する気液分離膜を配置する。また、反応促進溶液室４や、廃溶液室５１を可撓性の材質で形成し雰囲気の圧力を溶液に伝えられる構造とすることによっても、それぞれの溶液の圧力を大気圧とすることができる。
【００５８】
（第３実施例）
図６に、第３実施例に係る水素発生装置の構成図を示す。図６（Ａ）は、水素発生器稼動初期の状態を示し、図６（Ｂ）は、水素発生器稼動後期の状態を示す。図６の水素発生装置１ａに、反応室２、水素発生溶液室３ａ、反応促進溶液室４ａ、水素発生溶液導入路５、反応促進溶液導入路６、溶液排出流路７、送液手段８、反応促進溶液導入弁９、溶液排出弁１０、水素流通路１１、水素流通弁１２、廃溶液室５１ａを示す。ここで、反応促進溶液室４ａと水素発生溶液室３ａと廃溶液室５１ａとを可撓性の材質で形成し容積可変とし、反応促進溶液室４ａおよび水素発生溶液室３ａの縮小と、廃溶液室５１ａの拡大とを相殺する様に配置し、体積領域を共有する構成とした。このように水素発生溶液室３ａと反応促進溶液室４ａが縮小する空間を廃溶液室５１ａの体積拡大が補うことにより、反応促進溶液室４ａ、水素発生溶液室３ａおよび廃溶液室５１ａの設置空間を有効に活用することができ、水素発生装置１ａの体積を縮小することができる。また、他の部材においては、第１実施例と同様であるため、説明を省略する。
【００５９】
図６に、可撓性の材質で形成したそれぞれの溶液室と状態の変化を示す。図６（Ａ）は、反応促進溶液室４ａと水素発生溶液室３ａの溶液が多い、水素発生器稼動初期の状態であり、廃溶液室５１ａは縮小している。図６（Ｂ）は、水素発生操作を繰り返し、反応促進溶液室４ａと水素発生溶液室３ａの溶液の消費により縮小し、廃溶液室５１ａが拡大した水素発生器稼動後期の状態を示す。この様に、空間を有効に活用することができ、水素発生装置１ａの体積を縮小することができる。
【００６０】
反応促進溶液室４ａおよび廃溶液室５１ａの圧力を大気圧とした場合、図４ａで示した、Ｐ２およびＰ１は、共に大気圧となり同じ圧力となるが、反応室２の圧力が、Ｐ２より低いときに反応促進溶液導入弁９を開放し、Ｐ１より高い状態で、溶液排出弁１０を開放する動作を上述の操作と同様に行うことで水素発生の操作を行うことができる。
【００６１】
また、プランジャを介して反応促進溶液室４ａと廃液溶液室５１ａを加圧バネなどの加圧手段で加圧する構成や、可撓性の材質で形成した反応促進溶液室４ａや、廃溶液室５１ａを、加圧バネなどで加圧する構成とすることにより、反応促進溶液室４ａの圧力Ｐ２や、廃溶液室５１ａの圧力Ｐ１を大気圧以上に高め、水素発生装置の水素供給圧力を高めることができる。また、反応促進溶液を加圧する加圧手段を有することにより、反応促進溶液の圧力や、廃溶液の圧力を調整することができ、水素供給圧力を調整することができる。
【００６２】
（第４実施例）
図７に、第４実施例に係る水素発生装置の構成図を示す。図７の水素発生装置１ｂに、反応室２、水素発生溶液室３ａ、反応促進溶液室４ａ、水素発生溶液導入路５、反応促進溶液導入路６、溶液排出流路７、送液手段８、反応促進溶液導入弁９、溶液排出弁１０、水素流通路１１、水素流通弁１２、接続部３０、廃溶液室５１ａ、溶液加圧室５５ｂを示す。本実施例の反応促進溶液室４ａと水素発生溶液室３ａと廃溶液室５１ａは、図６に示したものと同様であるため、説明を省略する。また、溶液圧力室５５ｂは、容積が可変しない閉ざされた空間であり、水素や不活性気体を封入することにより加圧する。反応促進溶液室４ａと水素発生溶液室３ａと廃溶液室５１ａは溶液圧力室５５ｂの内部に配置されている。これにより、内部に配置した反応促進溶液室４ａと水素発生溶液室３ａと廃溶液室５１ａを均等に加圧することができる。さらに、上述の様に、反応促進溶液室４ａと水素発生溶液室３ａと廃溶液室５１ａの体積の和は、溶液の使用による変化がないので、溶液圧力室５５ｂの圧力は保たれる。従って、水素発生器の稼働の途中で圧力を調整するための気体を導入するなどの操作を必要とすることなく、安定した溶液の供給が可能であり、大掛かりな機構を要さずに、水素消費機器に供給する水素の圧力を設定することができる水素発生装置とすることができる。
【００６３】
また、図７に示す水素発生装置１ｂは、水素発生溶液導入路５と反応促進溶液導入路６と溶液排出流路７に着脱可能な接続部３０を備え、反応室２および反応室２への溶液の導入や反応室２からの溶液の排出を制御する弁などの機構と、水素発生溶液室３ａと反応促進溶液室４ａと廃溶液室５１ａとを別体の構造とする構成である。これにより、水素発生のための溶液および廃溶液を着脱可能な形態（溶液カートリッジ３２）とすることができ、容易に溶液交換や保管することができる。また、この形態においては、溶液カートリッジ３２は、水素発生の制御のための弁を含まないので、簡便な構造で安価な溶液カートリッジ３２とすることができる。
【００６４】
（第５実施例）
図８に、第５実施例に係る水素発生装置の構成図を示す。図８は、反応ユニット３２ｃを反応容器内に複数配置した水素発生装置１ｃを示す。本実施例の水素発生装置１ｃは、複数の反応ユニット３２ｃと、水素発生溶液室３、反応促進溶液室４、廃溶液室５１を備える。反応ユニット３２ｃは、反応室２、送液手段８、反応促進溶液導入弁９、排出弁１０、水素流通弁１２、水素発生溶液導入路５、反応促進溶液導入路６、溶液排出流路７、水素流通路１１を備えたユニットである。また、これらの反応ユニット３２ｃは図示しない圧力センサおよびコントローラにより制御される。また、反応ユニット３２ｃの中の水素流通弁１２とは別に、その上流に水素流通弁１２を有していても良い。この様な構成の水素発生装置１ｃは、複数の反応ユニット３２ｃのそれぞれの水素発生量を制御できるので、水素消費流量の変動への追従が容易である。また、１つあたりの反応室２における水素発生量を少なくして、より繊細な制御を行うことも可能であり、水素を消費する水素消費機器の水素消費流量に合わせて断続的に水素発生と供給を行うことができる。
【００６５】
また、複数の反応ユニット３２ｃを備えることにより、水素発生能力を増大させることができるので、水素消費流量の大きな機器への適用が可能となる。なお、図８には、３つの反応ユニット３２ｃを備える例を示したが、これに限らず、水素発生装置１ｃの性能、すなわち、水素消費機器の要求する水素量に合わせて反応ユニット３２ｃの数を設定することができる。
【００６６】
（第６実施例）
図９に、第６実施例に係る水素発生装置の構成図を示す。図９に示す、水素発生装置１は、反応促進溶液導入弁９ｄを反応促進溶液導入路６の流通を反応室２に向かう一方向に規制する逆止弁とし、溶液排出弁１０ｄを溶液排出流路７の流通を反応室２から外側に向かう一方向に規制する逆止弁としている。反応促進溶液導入弁９ｄを反応促進溶液導入路６の流通を反応室２に向かう一方向に規制する逆止弁とすることにより、反応室２の圧力が反応促進溶液室４の圧力よりも低い場合に反応室２に反応促進溶液が送られ、反応室２の内部の圧力が反応促進溶液室４の圧力よりも高い場合に停止することができる。反応促進溶液の流量は、反応促進溶液室４の圧力と反応促進溶液導入路８の流路抵抗により決定されるので、逆止弁の流路抵抗を調整することや、反応促進溶液導入路６にオリフィスを設けて流路抵抗を調整することにより設定することができる。
【００６７】
さらに、溶液排出弁１０ｄを溶液排出流路７の流通を反応室２から外側に向かう一方向に規制する逆止弁とすることにより、反応室２の圧力が廃溶液室５１の圧力よりも高い場合に反応室２から反応室内溶液２０を廃溶液室５１に排出し、反応室２の内部の圧力が廃溶液室５１の圧力よりも低い場合に停止する。溶液排出流路７から排出される反応室内溶液２０の流量は、廃溶液室５１の圧力と溶液排出流路７の流路抵抗により決定されるので、逆止弁の流路抵抗を調整することや、溶液排出流路７にオリフィスを設けて流路抵抗を調整することにより設定することができる。
【００６８】
図１０に、第６実施例に係る水素発生装置の反応室の圧力状態図を示す。図１０は、上記の構成における、圧力状態と弁の流通状態を示す。
図１０は、図４と同様に、反応室２および水素流通弁１２の水素消費機器側の圧力と、各弁の状態を示している。圧力Ｐ１およびＰ２は、廃溶液室５１の圧力をＰ１、反応促進溶液室４の圧力をＰ２として示す。ここで、反応促進溶液導入弁９ｄは、反応促進溶液導入路６の流通を反応室２に向かう一方向に規制する逆止弁であるので、反応促進溶液導入弁９ｄは、反応室２の圧力が反応促進溶液室４の圧力（Ｐ２）よりも低い場合に開放し、反応室２の内部の圧力が反応促進溶液室４の圧力（Ｐ２）よりも高い場合に閉止する。
【００６９】
また、溶液排出弁１０ｄは、溶液排出流路７の流通を反応室２から外側に向かう一方向に規制する逆止弁であるので、溶液排出弁１０ｄは、反応室２の圧力が廃溶液室５１の圧力（Ｐ１）よりも高い場合に開放し、反応室２の内部の圧力が廃溶液室５１の圧力（Ｐ１）よりも低い場合に閉止する。なお、動作は図２に示す動作フローと同様の動作である。
【００７０】
まず、Ｓ１では、水素流通弁１２を開放し、反応室２の圧力は、Ｐ１より低く、Ｐ２より高いので、反応促進溶液導入弁９ｄおよび溶液排出弁１０ｄは、閉止している。水素流通路１１に接続された機器により水素が消費されると、反応室２の圧力が低下する。反応促進溶液導入弁９ｄは、反応室２の圧力が反応促進溶液室４の圧力（Ｐ２）よりも低い場合に開放する逆止弁なので、反応室２の圧力が、Ｐ２より低くなると、反応促進溶液導入弁９ｄが開放され、反応室２に反応促進溶液が導入される（Ｓ２）。また、反応促進導入弁９ｄを開放する動作（Ｓ２）は、反応促進溶液室４の圧力Ｐ２に対して、反応室２の圧力が低い状態であれば良く、水素流通弁１２を開放し、接続機器による水素消費の開始（Ｓ１）のときの反応室２の圧力がＰ２を下回るように設定した場合は、水素流通弁１２開放と同時に、反応促進溶液導入弁９ｄが開放され、反応室２に反応促進溶液が導入される。
【００７１】
次に、水素流通弁１２を閉止する。水素流通弁１２を閉止した後は、反応室２内の水素の水素流通路１１への流通が無いので、反応室２の圧力の低下は無く、保持される。次に、反応室２に水素発生溶液を導入する。導入された水素発生溶液は、反応室２の反応促進溶液と接触し加水分解反応により水素が発生し、発生した水素により反応室２の圧力が上昇する（Ｓ３）。水素の発生量は、反応室２への水素発生溶液の導入量を制御する送液手段により制御する。このとき、水素発生反応後の反応室２の圧力が廃溶液室５１の圧力（Ｐ１）より高くなる。ここで、溶液排出弁１０ｄは、反応室２の圧力が廃溶液室５１の圧力（Ｐ１）よりも高い場合に開放する逆止弁なので、反応室２の圧力が、Ｐ１より高くなると、溶液排出弁１０ｄが開放され、反応室内溶液２０は、反応室２で発生した水素の圧力により、溶液排出流路７を通じ反応室２から排出される（Ｓ４）。また、反応室２の圧力は、Ｐ２より高いので、反応促進溶液導入弁９ｄは閉止される。
【００７２】
反応室内溶液２０の排出に従って反応室２の圧力は低下し、廃溶液室５１の圧力（Ｐ１）と等しくなるまで低下する。このとき、反応室内溶液２０の排出量は、反応室２で発生する水素量（圧力）により決定されるので、反応室２への水素発生溶液の導入量により制御する。また、反応室２の圧力は、廃溶液室５１の圧力（Ｐ１）と等しくなるので、廃溶液室５１の圧力（Ｐ１）を調整することにより、水素流通弁１２を開放した際の水素消費機器への水素供給圧力を設定することが可能である。
【００７３】
次に、水素流通弁１２を開放し、水素流通路１１を通じ、水素消費機器に水素が供給される。このときの反応室２と水素消費機器の圧力は等しくなる。水素消費機器の圧力は、水素流通弁１２を開放する前の反応室２の圧力により制御できるので、廃溶液室５１の圧力（Ｐ１）の調整により任意に設定することができる。
【００７４】
この様に、反応促進溶液導入弁９ｄおよび溶液排出弁１０ｄを電磁弁など開閉の駆動に電力を伴う機器や、開閉制御のための圧力センサーやコントローラを必要としない機構によって反応室２への反応促進溶液の導入および反応室２からの反応室内溶液の排出を制御し、反応室４での水素生成と生成した水素の圧力による反応室内溶液２０の反応室２からの排除を繰り返し行うことができ、また、水素消費機器に供給する水素の圧力を設定することができる水素発生装置とすることができる。
【００７５】
このように、本実施例の水素発生装置１は、反応促進溶液導入弁９ｄを反応促進溶液導入路６の流通を反応室２に向かう一方向に規制する逆止弁とし、溶液排出弁１０ｄを溶液排出流路７の流通を反応室２から外側に向かう一方向に規制する逆止弁としている。これにより、上述した水素発生装置１では、大掛かりな機構を要さずに必要量の水素を確実に供給することが可能である。
【００７６】
（第７実施例）
図１１に、第７実施例に係る水素発生装置の構成図を示す。図１１に示す、水素発生装置１は、反応室２と水素消費機器を水素流通路１１により、直接接続している。また、反応促進溶液導入弁９ｄを反応促進溶液導入路６の流通を反応室２に向かう一方向に規制する逆止弁とし、溶液排出弁１０ｄを溶液排出流路７の流通を反応室２から外側に向かう一方向に規制する逆止弁としている。
【００７７】
図１２に、第７実施例に係る水素発生装置の反応室の圧力状態図を示す。図１２は、上記の構成における、圧力状態と弁の流通状態を示す。
反応室２と水素消費機器は、水素流通路１１により直接接続しているので、反応室２と水素消費機器側の圧力は、常に等しい圧力となる。
【００７８】
まず、Ｓ１では、反応室２の圧力は、Ｐ１より低く、Ｐ２より高い状態で、反応促進溶液導入弁９ｄおよび溶液排出弁１０ｄは、閉止している。水素流通路１１に接続された機器により水素が消費されると、反応室２の圧力が低下する。反応促進溶液導入弁９ｄは、反応室２の圧力が反応促進溶液室４の圧力（Ｐ２）よりも低い場合に開放する逆止弁なので、反応室２の圧力が、Ｐ２より低くなると、反応促進溶液導入弁９ｄが開放され、反応室２に反応促進溶液が導入される（Ｓ２）。
【００７９】
次に、反応室２に水素発生溶液を導入する。導入された水素発生溶液は、反応室２の反応促進溶液と接触し加水分解反応により水素が発生し、発生した水素により反応室２の圧力が上昇する（Ｓ３）。水素の発生量は、反応室２への水素発生溶液の導入量を制御する送液手段により制御する。このとき、水素発生反応後の反応室２の圧力が廃溶液室５１の圧力（Ｐ１）より高くなる。ここで、溶液排出弁１０ｄは、反応室２の圧力が廃溶液室５１の圧力（Ｐ１）よりも高い場合に開放する逆止弁なので、反応室２の圧力が、Ｐ１より高くなると、溶液排出弁１０ｄが開放され、反応室内溶液２０は、反応室２で発生した水素の圧力により、溶液排出流路７を通じ反応室２から排出される（Ｓ４）。このとき、反応室２の圧力は、Ｐ２より高いので、反応促進溶液導入弁９ｄは閉止される。
【００８０】
反応室内溶液２０の排出および水素消費機器による水素の消費に従って反応室２および水素消費機器の圧力は低下し、廃溶液室５１の圧力（Ｐ１）まで低下すると溶液排出弁１０ｄが閉止する。
【００８１】
この様に、反応室２と水素消費機器は、水素流通路１１により直接接続し、反応促進溶液導入弁９ｄおよび溶液排出弁１０ｄを電磁弁など開閉の駆動に電力を伴う機器や、開閉制御のための圧力センサーやコントローラを必要としない機構によって反応室２への反応促進溶液の導入および反応室２からの反応室内溶液の排出を制御し、反応室４での水素生成と生成した水素の圧力による反応室内溶液２０の反応室２からの排除を繰り返し行うことができ、また、水素消費機器に供給する水素の圧力を設定することができる水素発生装置とすることができる。
【００８２】
（第８実施例）
図１３に、第８実施例に係る水素発生装置の概略構成図を示す。図１３に示す、水素発生装置１は、図１１における水素発生溶液の送液手段８ｄを水素発生溶液導入路５の流通を反応室２に向かう一方向に規制する逆止弁としたものである。水素発生溶液室３は、プランジャを介して加圧バネで水素発生溶液を加圧する構成や、水素発生溶液室３を可撓性の材質で形成し、加圧バネなどで加圧する構成としている。
【００８３】
図１４に、第８実施例に係る水素発生装置の反応室の圧力状態図を示す。図１４に示す様に、図１２と同様に、反応室２と水素消費機器は、水素流通路１１により直接接続しているので、反応室２および水素流通弁１２の水素消費機器側の圧力は、常に等しい圧力となる。
ここで、Ｐ３は、水素発生溶液導入路５の流通を反応室２に向かう一方向に規制する逆止弁である送液手段８ｄが開放する圧力であり、水素発生溶液室３の圧力である。
【００８４】
まず、Ｓ１では、反応室２の圧力は、Ｐ１より低く、Ｐ２より高い状態で、反応促進溶液導入弁９ｄおよび溶液排出弁１０ｄは、閉止している。水素流通路１１に接続された機器により水素が消費されると、反応室２の圧力が低下する。反応促進溶液導入弁９ｄは、反応室２の圧力が反応促進溶液室４の圧力（Ｐ２）よりも低い場合に開放する逆止弁なので、反応室２の圧力が、Ｐ２より低くなると、反応促進溶液導入弁９ｄが開放され、反応室２に反応促進溶液が導入される（Ｓ２）。
【００８５】
さらに、反応室２の圧力が低下し、水素発生溶液室３の圧力（Ｐ３）より低下する。送液手段８ｄは、反応室２の圧力が水素発生溶液室３の圧力（Ｐ３）よりも低い場合に開放する逆止弁なので、反応室２の圧力が、Ｐ３より低下すると開放され、反応室２に水素発生溶液が導入される。導入された水素発生溶液は、反応室２の反応促進溶液と接触し加水分解反応により水素が発生し、発生した水素により反応室２の圧力が上昇する（Ｓ３）。このとき、水素発生反応後の反応室２の圧力が廃溶液室５１の圧力（Ｐ１）より高くなる。水素発生溶液の導入量は、水素発生溶液室３の圧力と水素発生溶液導入路５の流路抵抗により決定されるので、逆止弁の流路抵抗を調整することや、水素発生溶液導入路５にオリフィスを設けて流路抵抗を調整することにより設定することができる。
【００８６】
ここで、溶液排出弁１０ｄは、反応室２の圧力が廃溶液室５１の圧力（Ｐ１）よりも高い場合に開放する逆止弁なので、反応室２の圧力が、Ｐ１より高くなると、溶液排出弁１０ｄが開放され、反応室内溶液２０は、反応室２で発生した水素の圧力により、溶液排出流路７を通じ反応室２から排出される（Ｓ４）。このとき、反応室２の圧力は、Ｐ２およびＰ３より高いので、逆止弁である反応促進溶液導入弁９ｄおよび送液手段８ｄは閉止される。
【００８７】
反応室内溶液２０の排出および水素消費機器による水素の消費に従って反応室２および水素消費機器の圧力は低下し、廃溶液室５１の圧力（Ｐ１）まで低下すると溶液排出弁１０ｄが閉止する。
【００８８】
この様に、送液ポンプや電磁弁など駆動に電力を伴う機器や、開閉制御のための圧力センサーやコントローラを必要としない機構によって反応室２への反応促進溶液や水素発生溶液の導入および反応室２からの反応室内溶液の排出を制御し、反応室２での水素生成と生成した水素の圧力による反応室内溶液２０の反応室２からの排除を繰り返し行うことができ、また、水素消費機器に供給する水素の圧力を設定することができる水素発生装置とすることができる。
【００８９】
（第９実施例）
図１５に、第９実施例に係る水素発生装置の概略構成図を示す。なお、図１に示した水素発生装置の部材と同一部材には同一符号を付し、説明は省略する。また反応室２の圧力を検出する圧力センサー１３と制御用のコントローラ１４は、省略している。
【００９０】
図１５に示す、水素発生装置１は、水素発生溶液室３と、反応促進溶液室４と廃溶液室５１とが一体の共通室６０ｅを備え、共通室６０ｅと反応室２は、反応促進溶液導入路６および溶液排出流路７で接続される。これにより、反応促進溶液は、共通室６０ｅから反応室２に導入され、水素発生溶液と混合反応した後に、再び反応促進溶液室に還流することができる。そのため、水素発生装置１に搭載する反応促進溶液の量を縮小することができ、小型化が可能な水素発生装置１とすることができる。反応促進溶液導入路６および溶液排出流路７には、それぞれ流通を開閉する反応促進溶液導入弁９および溶液排出弁１０を備える。
【００９１】
この様な水素発生装置１ｅの構成で、共通室６０ｅに貯留された反応促進溶液導入路６から反応促進溶液導入弁９を通じて反応室２に導入された反応促進溶液と、送液手段８により水素発生溶液導入路５から反応室２に導入された水素発生溶液が接触し加水分解反応により水素が発生する。反応室２で発生した水素の圧力により、反応室内溶液２０は、溶液排出弁１０を通じて、溶液排出流路７から排出される。溶液排出流路７は、共通室６０ｅに接続されており、反応室２から排出された反応室内溶液２０は、共通室６０ｅに導入される。反応室２で発生した水素は、水素流通路１１を通じて水素を消費する機器に送られる。
【００９２】
この様に、反応促進溶液は、共通室６０ｅから反応室２に導入され、水素発生溶液と混合反応した後に、再び共通室６０ｅに還流する。反応室内溶液２０は、第１実施例に記載のとおり、ｐＨが７以下望ましくはｐＨ６以下また、反応促進溶液の比率を高くした混合溶液であり、反応促進溶液としての性能（酸性）を維持している。従って、共通室６０ｅに還流し、反応促進溶液として利用することができる。これにより、水素発生装置に搭載する反応促進溶液の量を縮小することができ、水素発生装置を小型化することができる。
【００９３】
図４に示した廃溶液室５１の圧力Ｐ１、反応促進溶液室４の圧力Ｐ２は、共通室６０ｅの圧力として同じ圧力となるが、反応室２の圧力が、共通室６０ｅの圧力より低いときに反応促進溶液導入弁９を開放し、共通室６０ｅの圧力より高い状態で、溶液排出弁１０を開放する操作を同様に行うことで水素発生の操作を行うことができ、同様の効果を得ることができる。
【００９４】
（第１０実施例）
図１６に、第１０実施例に係る水素発生装置の概略構成図を示す。なお、図６に示した水素発生装置の部材と同一部材には同一符号を付し、説明は省略する。共通室６０ｆと水素発生溶液室３ａとを可撓性の材質で形成し、容積可変とした。そして、水素発生溶液室３の縮小と、反応促進溶液室４の拡大を相殺する様に配置し、体積領域を共有した。これにより、共通室６０ｆおよび水素発生溶液室３の設置空間を有効に活用することができ、水素発生装置１ｆの体積を縮小することができる。
【００９５】
（第１１実施例）
図１７に、第１１実施例に係る水素発生装置の概略構成図を示す。なお、図７に示した水素発生装置の部材と同一部材には同一符号を付し、説明は省略する。可撓性の材質で形成した共通室６０ｆと水素発生溶液室３を溶液圧力室５５ｂの内部に配置しており、大掛かりな機構を要さずに、水素消費機器に供給する水素の圧力を設定することができる水素発生装置とすることができる。
【００９６】
さらに、水素発生溶液導入路５と反応促進溶液導入路６と溶液排出流路７に着脱可能な接続部３０ｂを備えることにより、反応室２および反応室２への溶液の導入や反応室２からの溶液の排出を制御する弁などの機構と、水素発生溶液室３と反応促進溶液室４とを別体としている。これにより、水素発生のための溶液を着脱可能な形態（溶液カートリッジ３１ｇ）とすることができ、容易に交換や保管することができる。また、この形態においては、溶液カートリッジ３１ｇは、水素発生の制御のための弁を含まないので、簡便な構造で安価な溶液カートリッジ３１ｇとすることができる。
【００９７】
（第１２実施例）
図１８に、第１２実施例に係る水素発生装置の概略構成図を示す。なお、図１に示した水素発生装置の部材と同一部材には同一符号を付し、説明は省略する。本実施例の水素発生装置１ｈは、移動可能な溶液隔壁５２ｈで仕切られた容器の空間をそれぞれ反応促進溶液室４ｈと水素発生溶液室３ｈとした。反応促進溶液および水素発生溶液の容積変化に応じて溶液隔壁５２ｈが移動する。これにより、空間を有効に活用することができ、水素発生装置１ｈの体積を縮小することができる。
【００９８】
（第１３実施例）
図１９に、第１３実施例に係る水素発生装置の概略構成図を示す。なお、図１８に示した水素発生装置の部材と同一部材には同一符号を付し、説明は省略する。本実施例の水素発生装置１ｉは、溶液加圧壁５３ｉにより移動可能な溶液隔壁５２ｈで仕切られた容器の空間のそれぞれに貯留した反応促進溶液および水素発生溶液を溶液加圧バネ５４ｉ等の加圧手段で加圧する。これにより、大掛かりな機構を要さずに、水素消費機器に供給する水素の圧力を設定することができる水素発生装置１ｉとすることができる。
以上の様な構成において、水素発生装置１ｉでは、大掛かりな機構を要さずに必要量の水素を確実に供給することが可能である。
【００９９】
（第１４実施例）
図２０に、第１４実施例に係る燃料電池の全体図を示す。図２０に示す燃料電池４０は、図１７に示した水素発生装置１ｇを燃料電池セル４１に接続したものである。なお、図１７に示した水素発生装置の部材と同一部材には同一符号を付し、説明は省略する。燃料電池４０は、燃料極室４２、酸化剤極４３、固体高分子電解質膜４４、燃料極４５を備えた燃料電池セル４１を有する。燃料極室４２は燃料電池セル４１の燃料極４５に接する空間を構成している。燃料極室４２には水素発生装置１ｇの水素流通路１１が接続されている。水素発生装置１ｇで発生した水素は水素流通路１１から燃料極室４２に送られ、燃料極４５での燃料電池反応で消費される。
【０１００】
本実施例の燃料電池４０は、大掛かりな機構を要さずに、簡易な構造で安定した水素供給が可能である小型化が可能な水素発生装置を備えた。これにより、小型化が容易な燃料電池とすることが可能になる。
【産業上の利用可能性】
【０１０１】
本発明は、水素発生装置の産業分野で利用することができる。
また、本発明は、水素発生装置を備えた燃料電池の産業分野で利用することができる。
【符号の説明】
【０１０２】
１、１ａ、１ｂ、１ｃ、１ｅ、１ｆ、１ｇ、１ｈ、１ｉ  水素発生装置
２  反応室
３、３ａ、３ｈ  水素発生溶液室
４、４ａ、４ｈ  反応促進溶液室
５  水素発生溶液導入路
６  反応促進溶液導入路
７  溶液排出流路
８  送液手段
９、９ｄ  反応促進溶液導入弁
１０、１０ｄ  溶液排出弁
１１  水素流通路
１２  水素流通弁
１３  圧力センサ
１４  コントローラ
１５  気液分離膜
２０  反応室内溶液
２２  容積部
３０ｂ  接続部
３１、３１ｇ  溶液カートリッジ
３２  反応ユニット
４０  燃料電池
４１  電池セル
４２  燃料極室
４３  酸化剤極
４４  固体高分子電解質膜
４５  燃料極
５１、５１ａ  廃溶液室
５２ｈ  溶液隔壁
５３ｉ  溶液加圧壁
５４ｉ  溶液加圧バネ
５５ｂ  溶液加圧室
６０ｅ、６０ｆ  共通室
【図１】
2013193937.tif 000003
【図２】
2013193937.tif 000004
【図３】
2013193937.tif 000005
【図４】
2013193937.tif 000006
【図５】
2013193937.tif 000007
【図６】
2013193937.tif 000008
【図７】
2013193937.tif 000009
【図８】
2013193937.tif 000010
【図９】
2013193937.tif 000011
【図１０】
2013193937.tif 000012
【図１１】
2013193937.tif 000013
【図１２】
2013193937.tif 000014
【図１３】
2013193937.tif 000015
【図１４】
2013193937.tif 000016
【図１５】
2013193937.tif 000017
【図１６】
2013193937.tif 000018
【図１７】
2013193937.tif 000019
【図１８】
2013193937.tif 000020
【図１９】
2013193937.tif 000021
【図２０】
2013193937.tif 000022